(57)【要約】      （修正有）【課題】画面を有する携帯機器を動作させる方法を提供する。【解決手段】携帯機器によって当該携帯機器の加速を検出するステップ２０４と、加速を検出した後に、複数の初期設定を含む文書へのアクセス要求を携帯機器によって受け取るステップ２１０と、加速の検出及び要求の受け取りに応答して、画面上における文書の表示を変更するステップ２１４と、を含む。【選択図】図２
2015165396.tif 000002
【特許請求の範囲】
【請求項１】
画面を有する携帯機器を動作させる方法であって、
前記携帯機器によって当該携帯機器の加速を検出するステップと、
前記加速を検出した後に、複数の初期設定を含む文書へのアクセス要求を前記携帯機器によって受け取るステップと、
前記加速の検出および前記要求の受け取りに応答して、前記画面上における前記文書の表示を変更するステップと、
を含む方法。
【請求項２】
前記表示を変更するステップは、
前記複数の初期設定のうち、ある初期設定を変更するステップと、
当該初期設定を変更した後に前記文書を配置するステップと、
を含む、請求項１に記載の方法。
【請求項３】
前記初期設定は前記文書の色およびフォントからなる群から選択される、請求項２に記載の方法。
【請求項４】
前記初期設定はフォントサイズである、請求項２に記載の方法。
【請求項５】
前記表示を変更するステップは、
図形的対象を選択するステップと、
前記図形的対象を排除した前記文書を配置するステップと、
を含む、請求項１に記載の方法。
【請求項６】
前記表示を変更するステップは、
前記画面に関するズーム率を変更するステップを含む、
請求項１に記載の方法。
【請求項７】
前記文書の前記表示を変更する前に、前記加速の検出に応答して前記画面上に記号を表示するステップと、
前記記号の選択を受け付けるステップと、
をさらに含み、
前記表示の変更はさらに当該選択に応答して行われるものである、請求項１に記載の方法。
【請求項８】
前記文書の前記表示を変更した後に、リセットウィジェットを表示するステップと、
前記リセットウィジェットの選択を受け付けるステップと、
前記文書の前記表示の前記変更を少なくとも部分的に取り消すステップと、
をさらに含む、請求項１に記載の方法。
【請求項９】
携帯機器であって、
画面と、
前記携帯機器の加速を検出するように構成された検知器と、
複数の初期設定を含む文書を記憶するバッファーと、
前記加速および前記文書へのアクセス要求に応答して、前記画面上における前記文書の表示を変更するように構成された変更モジュール（ＭＭ）と、
を含む携帯機器。
【請求項１０】
前記ＭＭは、
前記加速に応答して、前記複数の初期設定のうち、ある初期設定を変更するように構成された設定エンジンと、
当該初期設定が変更された後に前記文書を配置するように構成された配置エンジンと、
をさらに含む、請求項９に記載の携帯機器。
【請求項１１】
前記初期設定はフォントサイズである、請求項１０に記載の携帯機器。
【請求項１２】
前記初期設定はフォントおよび前記文書の色からなる群から選択される、請求項１０に記載の携帯機器。
【請求項１３】
前記文書と共に表示されるリセットウィジェットを含むとともに、前記画面上に表示されるグラフィカルユーザーインターフェースをさらに含む、請求項９に記載の携帯機器。
【請求項１４】
画面を有する携帯機器を動作させるための命令を格納する非一時的なコンピューター可読媒体（ＣＲＭ）であって、前記命令が、
前記携帯機器の加速を検出する機能と、
前記加速を検出した後に、複数の初期設定を含む文書へのアクセス要求を受け取る機能と、
前記加速の検出および前記要求の受け取りに応答して、前記文書の表示を変更する機能と、
を含む非一時的なＣＲＭ。
【請求項１５】
前記表示を変更する前記命令は、
前記複数の初期設定のうち、ある初期設定を変更する機能と、
当該初期設定を変更した後に前記文書を配置する機能と、
を含む、請求項１４に記載の非一時的なＣＲＭ。
【請求項１６】
前記初期設定は前記文書の色、フォント、およびフォントサイズからなる群から選択される少なくとも１つである、請求項１５に記載の非一時的なＣＲＭ。
【請求項１７】
前記表示を変更する前記命令は、
図形的対象を選択する機能と、
前記図形的対象を排除した前記文書を配置する機能と、
を含む、請求項１４に記載の非一時的なＣＲＭ。
【請求項１８】
前記表示を変更する前記命令は、
前記携帯機器の前記画面に関するズーム率を変更する機能を含む、
請求項１４に記載の非一時的なＣＲＭ。
【請求項１９】
前記命令は、
前記文書の前記表示を変更する前に、前記加速の検出に応答して前記携帯機器の前記画面上に記号を表示する機能と、
前記記号の選択を受け付ける機能と、
をさらに含み、
前記文書の前記表示の変更はさらに当該選択に応答して行われるものである、請求項１４に記載の非一時的なＣＲＭ。
【請求項２０】
前記命令は、
前記文書の前記表示の前記変更を少なくとも部分的に取り消すためのリセットウィジェットを、前記文書の前記表示を変更した後に表示する機能をさらに含む、請求項１４に記載の非一時的なＣＲＭ。
【発明の詳細な説明】
【技術分野】
【０００１】
本発明は文書を表示するための画面を有する携帯機器、ならびに携帯機器を動作させるための方法およびコンピューター可読媒体に関する。
【背景技術】
【０００２】
携帯機器は情報媒体を利用するための一般的な手段になってきている。具体的には、携帯機器はウェブページ（例えば、ソーシャルメディアやブログ）、新聞、ワープロ文書、スプレッドシート等の文書やデータの閲覧用として普及している。ユーザーの移動中、例えば歩行中や乗り物での移動中は、携帯機器がユーザーの目に対して相対的に動いているため、携帯機器の画面を読むのが難しい場合がある。
【発明の概要】
【発明が解決しようとする課題】
【０００３】
ユーザーの移動中における携帯機器の可読性を改善する複数の試みがこれまでなされてきた。しかし、これらの試みのほとんどは、動きが検出されるとすぐに、既に表示されている文書のフォントサイズを拡大縮小するだけのものである。これはユーザーには非常に苛立たしい場合がある。それでもやはり、ユーザーは動きながら自分の携帯機器で文書を閲覧することを望んでいる。
【課題を解決するための手段】
【０００４】
概括すると、本発明は、一側面において、携帯機器を動作させる方法に関する。当該方法は、前記携帯機器によって当該携帯機器の加速を検出するステップと、前記加速を検出した後に、複数の初期設定を含む文書へのアクセス要求を前記携帯機器によって受け取るステップと、前記加速の検出および前記要求の受け取りに応答して、画面上における前記文書の表示を変更するステップと、を含む。
【０００５】
概括すると、本発明は、一側面において、携帯機器に関する。当該携帯機器は、画面と、前記携帯機器の加速を検出するように構成された検知器と、複数の初期設定を含む文書を記憶するバッファーと、前記加速および前記文書へのアクセス要求に応答して、前記画面上における前記文書の表示を変更するように構成された変更モジュール（ＭＭ）と、を含む。
【０００６】
概括すると、本発明は、一側面において、画面を有する携帯機器を動作させるための命令を格納する非一時的なコンピューター可読媒体（ＣＲＭ）に関する。当該命令は、前記携帯機器の加速を検出する機能と、前記加速を検出した後に、複数の初期設定を含む文書へのアクセス要求を受け取る機能と、前記加速の検出および前記要求の受け取りに応答して、前記文書の表示を変更する機能と、を含む。
【０００７】
本発明の他の側面は、以下の記述および添付の特許請求の範囲から明らかになるであろう。
【図面の簡単な説明】
【０００８】
【図１】本発明の一または複数の実施形態に係るシステムを示す図である。
【図２】本発明の一または複数の実施形態に係るフローチャートである。
【図３】本発明の一または複数の実施形態に係る一実施例を示す図である。
【図４】本発明の一または複数の実施形態に係る一実施例を示す図である。
【発明を実施するための形態】
【０００９】
本発明の具体的な実施形態を、添付図面を参照して詳細に説明する。一貫性を保つために、図面中、同じ要素には同じ参照番号を付す。
【００１０】
以下に示す本発明の複数の実施形態の詳細な説明では、本発明に対する十分な理解を促すために具体的な詳細事項を多く挙げる。しかし、当業者には明らかなように、これらの具体的詳細事項を伴わずに本発明を実施してもよい。また、記載が不必要に複雑になるのを避けるため、周知の要素については詳述しない。
【００１１】
本発明の実施形態は、概括すると、携帯機器、携帯機器を動作させるための方法、および携帯機器を動作させるための命令を記憶するＣＲＭを提供する。具体的には、携帯機器が加速していることが検出され、かつ、その加速が一または複数の基準を満たすことが検出されると、携帯機器上の文書の表示（すなわち外観）が変更されて、その文書の可読性が改善される。別の言い方をすると、携帯機器上の文書の表示（すなわち外観）が変更されて、当該携帯機器（ひいては多くの場合ユーザー）の移動中における文書の可読性が改善される。文書の表示（すなわち外観）の変更は、文書の初期設定を変更する（例えば、フォントサイズを大きくする）ことと、その後、その変更した設定で文書を配置することを含んでもよい。それに加えて、または代わりに、文書の表示（すなわち外観）の変更は、表示のズーム率を大きくすることを含んでもよい。本発明の一または複数の実施形態では、この変更は、加速が検出された後にユーザーが要求した文書にのみ適用される。本発明の一または複数の実施形態において、この変更は、ユーザーが閲覧中の文書に適用される。
【００１２】
図１は、本発明の一または複数の実施形態に係るシステムを示す。図１に示すように、当該システムは携帯機器（１０２）を含む。携帯機器（１０２）は、プロセッサー、メモリー、入力機器（例えば、キーボード、タッチスクリーン、マイクロフォン）、および出力機器（例えば、画面（１０４））を含む任意の携帯演算機器であってもよい。本発明の実施形態は、使用されているプラットフォームに関わらず実質的に任意の種類の携帯機器で実行されてもよい。例えば、携帯機器（１０２）はラップトップコンピューター、スマートフォン、携帯情報端末、タブレット型コンピューター、電子書籍リーダー（すなわち、ｅリーダー）、または任意の他の種類のハードウェア機器であってもよい。
【００１３】
本発明の一または複数の実施形態では、携帯機器（１０２）は画面（１０４）、バッファー（１０８）、検知器（１１０）、および変更モジュール（１１２）を含む。以下、各構成要素を説明する。
【００１４】
本発明の一または複数の実施形態では、携帯機器は検知器（１１０）を含む。検知器（１１０）は携帯機器（１０２）の加速を検出および／または測定する機能を備えた機器である。例えば、検知器（１１０）は加速度計（図示せず）を含んでもよい。検知器（１１０）は、測定／検出された加速の大きさ、方向、および／または継続時間を一または複数の閾値と比較するように構成されていてもよい。本発明の一または複数の実施形態では、閾値が満たされた（例えば閾値を超えた）場合にのみ、検知器（１１０）は、検出された加速の大きさ、方向、および／または継続時間を伝達／報告する。本発明の一または複数の実施形態では、検知器（１１０）は、閾値が満たされたかどうかに関わらず、検出された加速の大きさ、方向、および／または継続時間を伝達／報告する。これらの閾値（および他の基準／条件）は、携帯機器（１０２）の製造業者によって予め設定されていてもよい。加えて、または代わりに、これらの閾値は、携帯機器（１０２）のユーザーによって任意の時に変更（すなわち、個別に変更）されてもよい。
【００１５】
本発明の一または複数の実施形態では、バッファー（１０８）は任意の種類のメモリーまたは長期記憶装置（例えば、ハードドライブ）に相当してもよい。バッファー（１０８）は、ユーザーが閲覧を要求した文書（または文書の少なくとも一部）を記憶するように構成されている。要求される文書の例としては、ウェブページ（例えば、ハイパーテキストマークアップ言語（ＨＴＭＬ）ファイル）、ポータブルドキュメントフォーマット（ＰＤＦ）ファイル、オープンオフィスＸＭＬファイルもしくは任意のマークアップ言語で作成されたファイル、スライドショープレゼンテーション、スプレッドシート等が挙げられる。
【００１６】
本発明の一または複数の実施形態では、ユーザーにより要求された文書には一または複数の初期設定が含まれる。初期設定とは自動的に割り当てられた特性であって、文書の表示（すなわち外観）に影響を与えるものである。例えば初期設定には、フォントサイズ（例えば、１２ポイント）、フォント種類（例えば、タイムズニューローマン）、余白、文書中の任意の色（例えば、背景色やフォント色）等が含まれてもよい。ユーザーにより要求された文書は、読者／ユーザーに伝達されるべき文書の内容／情報に影響を与えずに排除する（すなわち、表示しない）ことが可能な一または複数の図形的要素（例えば、広告、美的な／装飾的な縁取り等）を含んでいてもよい。本発明の一または複数の実施形態において文書がマークアップ言語で規定されている場合、文字、画像、図形的要素、および初期設定が文書のマークアップ言語のタグ内に属性として記録／識別される。
【００１７】
本発明の一または複数の実施形態では、変更モジュール（１１２）は設定エンジン（１１６）を含む。設定エンジン（１１６）は、文書の一または複数の初期設定を変更する機能（例えば、交換、置換、増減等）、および／または文書の図形的要素（例えば、広告、美的な／装飾的な縁取り等）を除去する機能を有する。具体的には、設定エンジン（１１６）は、要求された文書の一または複数の初期設定を変更し、かつ／あるいは図形的要素を除去して、携帯機器およびそのユーザーの移動中における文書の可読性を高める。初期設定に対して実行される除去の数および変更の数／種類は、加速の大きさ、方向、および／または継続時間によって決定されてもよい。
【００１８】
本発明の一または複数の実施形態では、文書は、固定配置または可変配置のどちらを有するかによって分類される。固定配置の文書では、閲覧ウィンドウの大きさに関わらず、文書の正しいレンダリングはただ１つである。可変配置の文書は、閲覧ウィンドウの大きさ（例えば、幅）により変化し得る。ＰＤＦファイルおよびＯＯＸＭＬファイルは共に固定配置文書の例である。ＨＴＭＬファイルは可変配置文書の例である。固定配置文書および可変配置文書は共に初期設定を含むが、固定配置文書の初期設定の一部は変更することができない。具体的には、固定配置文書の場合、配置に影響しない初期設定の変更（例えば、フォント色の変更、背景色の変更、配置に影響しない一部の図形的要素（例えば、背景画像、縁取り等）の除去）だけが許される。これに対し、可変配置文書の場合、配置に影響を与える初期設定の変更（例えば、フォントサイズの変更、配置に影響を与える一部の図形的要素（例えば、広告、テキストとインラインの画像／図形等）の除去）が許される。
【００１９】
例えば、加速の大きさが小さい場合、テキストのフォントサイズを、可変配置文書で規定されている初期設定のフォントサイズから２ポイント増やしてもよい。別の例として、加速が大きい場合、テキストのフォントサイズを、その文書で規定されている初期設定のフォントサイズから４ポイント増やしてもよく、文書中の一または複数の図形的要素を除去してもよい。本発明の一または複数の実施形態では、これらの変更および除去は文書をレンダリングする前（すなわち、文書を配置する前）に行われる。
【００２０】
本発明の一または複数の実施形態では、文書が既に表示された後に、変更モジュール（１１２）が文書の一または複数の初期設定を変更するか、またはリセットする（その最初の値に戻す）。具体的に言えば、変更された表示（すなわち外観）にユーザーが満足しない場合があり、この変更の一部または全てを小さくするか除去するかを求める場合がある（これについては後述する）。
【００２１】
本発明の一または複数の実施形態では、変更モジュール（１１２）は配置エンジン（１１４）を含む。配置エンジン（１１４）は、変更モジュール（１１２）により実行された変更および／または除去に従って文書を配置する機能を有する。言い換えれば、配置エンジン（１１４）は、変更された設定に基づいて文書の全てのテキストや図形等の位置（例えば、座標）を計算する。本発明の一または複数の実施形態では、図形的要素の除去とは、その図形的要素が配列を目的として配置エンジンに提供されないこと、あるいは配置エンジンが配置中にその図形的要素を無視することを意味する。この詳細な説明を利用する当業者ならば、図形的要素の有無によって、レンダリング（すなわち、表示）されたページ上の残りのテキストや図形等の位置が異なることを理解するだろう。
【００２２】
本発明の一または複数の実施形態では、画面（１０４）は有機発光ダイオード（ＯＬＥＤ）表示器、液晶表示器（ＬＣＤ）、または携帯機器の出力を表示する任意の機器に相当してもよい。タッチ画面の場合、画面（１０４）は入力装置として機能してもよい。本発明の一または複数の実施形態では、画面（１０４）はグラフィカルユーザーインターフェース（ＧＵＩ）（１０６）を表示するか、あるいはそれを表示する機能を有する。
【００２３】
本発明の一または複数の実施形態では、ＧＵＩ（１０６）は、携帯機器（１０２）のユーザーと相互にやりとりするための図形的要素／ウィジェット（例えば、ラジオボタン、チェックボックス、ドロップダウンリスト、ボタン等）を任意の数だけ含む。文書の表示中にＧＵＩ（１０６）を見ることができてもよい。ＧＵＩ（１０６）は、文書の表示前に見ることができてもよい。一または複数の実施形態において、ＧＵＩ（１０６）はリセットウィジェットを含む。ユーザーは、リセットウィジェットを操作することによって文書の表示（すなわち外観）の一または複数の変更を小さくすること、あるいは取り消すことを要求してもよい。言い換えれば、ユーザーは、リセットウィジェットを操作することによって、文書をその初期設定に従って表示することを要求してもよい。例えば、リセットウィジェットはスライダーに相当してもよく、その場合一番左の位置は文書の初期設定に相当し、一番右の位置は文書の表示（すなわち外観）の変更の全てを維持する要求に相当してもよい。本発明の一または複数の実施形態では、スライダーのハンドルをユーザーが右から左へ、または左から右へ動かしてもよい。ユーザーは、スライダーのハンドルの位置を操作することによって文書の初期設定の変更の全てを取り消してもよく（例えば、ハンドルを一番左の位置へ滑らせる）、あるいは変更を調整してもよい（例えば、ハンドルを滑らせて一番左の位置と一番右の位置の間にする）。
【００２４】
例えば、初期設定では１２ポイントのフォントサイズが規定されていてもよい。変更されたフォントサイズは１８ポイントであってもよい。文書が１８ポイントのフォントサイズでユーザーに対して表示されると、ユーザーはスライダーのハンドルを左に動かして１２ポイントと１８ポイントの間の任意のフォントサイズを選択してもよい。この詳細な説明を利用する当業者ならば、文書の表示（すなわち外観）の変更を小さくするあるいは取り消すための任意の要求をユーザーが行うことにより、文書を（例えば、配置エンジン（１１４）により）新しく配置する要求がなされてもよいことを理解するだろう。
【００２５】
本発明の一または複数の実施形態では、検出された／測定された加速が一または複数の閾値を満たすとき、ＧＵＩ（１０６）はユーザーに対し、ある記号を表示する。この記号は、この後要求される任意の文書の表示（すなわち外観）を変更して、その文書の可読性を改善することをユーザーに示すものである。ユーザーがこの記号を選択することで承認することにしてもよい。ユーザーがこの記号を選択することで否認し、それによって文書の表示に対する変更を防止してもよい。この記号はボタン、点滅するアイコン、ダイアログボックス等に相当してもよい。
【００２６】
本発明の一または複数の実施形態では、文書の設定の変更が常に可能なわけではない。例えば上記のように固定配置文書では、一部の初期設定の変更は禁止されていてもよい。そのような実施形態では、文書を（例えば、１５０％、２００％等に）ズームすることによって文書の表示（すなわち、外観）を変更して可読性を高めてもよい。ただし、この詳細な説明を利用する当業者ならば、このズームによって一部の内容が、文書のうち画面上で見える範囲から外れる場合があることを理解するだろう。そのような実施形態では、文書のうち画面上で見える範囲をずらしてその内容を見るためのスクロールバーがＧＵＩ（１０６）に含まれていてもよい。ズームは固定配置文書および可変配置文書の両方に適用することができる。
【００２７】
図１は各要素の構成を示しているが、本発明の範囲から逸脱することなく他の構成を用いることができる。例えば、種々の構成要素を組み合わせて１つの要素を作ってもよい。別の一例として、１つの要素で実行される機能を２つ以上の要素で実行してもよい。
【００２８】
図２は本発明の一または複数の実施形態に係るフローチャートを示す。図２における一または複数のステップは、図１を参照して先に説明した携帯機器（１０２）の複数の要素で実行されてもよい。本発明の一または複数の実施形態では、図２に示す一または複数のステップを省略してもよく、繰り返してもよく、および／または図２に示す順序と異なる順序で実行してもよい。したがって、本発明の範囲は図２に示すステップの特定の構成に限定されると考えるべきではない。
【００２９】
最初に携帯機器の加速が検出される（ステップ２０２）。具体的には、携帯機器の加速は、携帯機器の一要素である検知器（例えば、加速度計）を用いて検出される。加速の大きさ、方向、および継続時間が測定されてもよい。
【００３０】
ステップ２０４では、その加速が一または複数の閾値を満たすかどうか（例えば、超えるかどうか）が判定される。大きさ、方向、および継続時間に対して別々の閾値が存在してもよい。測定された大きさ、方向、および継続時間の値のうち一または複数が対応する閾値を満たす（例えば、超える）場合は、携帯機器（ひいては多くの場合、携帯機器のユーザー）が移動中であること（例えば、歩行中や乗り物で移動中であること等）を表している。さらに、測定された大きさ、方向、および／または継続時間の値のうち一または複数が対応する閾値を満たす場合、これら測定された値は当該携帯機器の他の要素に報告される。加速が一または複数の閾値を満たすと判定された場合、処理はステップ２０６に進む。加速が一または複数の閾値を満たさないと判定された場合（すなわち、加速は検出されたが非常に小さいおよび／または非常に短い加速であるため、携帯機器上の文書の表示の変更が不要である場合）、処理はステップ２０２に戻る。
【００３１】
ステップ２０６では、携帯機器の画面に記号が表示される。本発明の一または複数の実施形態では、この記号は、一または複数の閾値を満たす加速が検出されたことをユーザーに示すためのアイコン、ダイアログボックス、ボタン、または任意のウィジェットに相当してもよい。本発明の一または複数の実施形態では、この記号はＧＵＩ内に表示される。加速が生じ、かつ／あるいは記号が表示されたとき、ユーザーは既に文書を閲覧していてもよい。記号は、例えば走行距離計の図形でもよく、この図形は携帯機器の画面の上部右手側に配置されてもよい。
【００３２】
ステップ２０８では、加速が検出されたことによる文書の表示（すなわち、外観）の変更をユーザーが許可したかどうかが判定される。ユーザーは所定の時間内に記号を選択することによって変更を許可してもよい。ユーザーは記号を選択しない（すなわち、無視する）ことによって変更を許可してもよい。加えてまたは代わりに、ユーザーは記号を選択することによって変更を禁止してもよい。ユーザーは記号を選択しない（すなわち、無視する）ことによって変更を禁止してもよい。ユーザーにより変更が許可されたと判定されると、処理はステップ２１０へ進む。ユーザーにより変更が禁止されたと判定されると、処理は終了してもよい。本発明の一または複数の実施形態ではこの記号は必須ではなく、その後ユーザーによって要求される文書の表示変更が自動的に行われてもよい。そのような実施形態では、ステップ２０８は省略されてもよい。
【００３３】
ステップ２１０では、文書へのアクセス要求が受け取られる。この要求は加速が検出された後に受け取られる。文書はウェブページ（例えば、ＨＴＭＬファイル）、ＰＤＦファイル、ＯＯＸＭＬファイル、任意のマークアップ言語で書かれたファイル、スプレッドシート、スライドショー等に相当してもよい。本発明の一または複数の実施形態では、文書へのアクセス要求は、ユーザーによるウェブページ上のリンクのクリック操作、ウェブページの更新、ウェブページの前後移動、携帯機器上でのアプリケーションの起動、アイコンの選択等に相当してもよい。
【００３４】
前述のとおり、文書はその表示を制御／規定する初期設定を含んでいてもよい。例えば、文書は以下の初期設定、すなわち、フォントサイズは表題が２０ポイントでその他は１２ポイント、１インチの余白、ならびに白の背景色および黒のフォント色を有してもよい。また別の文書は以下の初期設定、すなわちフォントはタイムズニューローマン、フォントサイズは１４ポイント、ならびに赤の背景色および白のフォント色を有してもよい。また、前述のとおり、文書は、内容をユーザーに伝える必要のない一または複数の図形的要素（例えば、広告、美的な／装飾的な縁取り等）を含んでいてもよい。
【００３５】
ステップ２１２では、要求された文書の一または複数の初期設定が変更される（例えば、交換、置換、増減等）。前述のとおり、文書が可変配置文書であれば、文書の再配置を伴う初期設定（例えば、フォントサイズ）を含め任意の初期設定を変更することができる。また、前述のとおり、文書が固定配置文書であれば、文書の再配置を伴わない初期設定（例えば、フォント色、背景色等）のみ変更することができる。いずれにしても、可変配置文書および固定配置文書の両方において、文書の表示（すなわち外観）が効果的に変更されて、ユーザーの移動中における文書の可読性が改善されるように変更が行われる。文書の設定の変更の数／種類は、測定された加速の大きさ、方向、および継続時間のうち一または複数によって決定されてもよい。マークアップ言語で規定された文書の場合、設定はタグ内に規定されていてもよく、設定の変更は実質的にはタグ内のこれらの値の変更に相当する。
【００３６】
本発明の一または複数の実施形態では、要求された文書における図形的要素（例えば、広告、美的な／装飾的な縁取り等）のうち一または複数が消去／排除されてもよい。これを実行することにより文書の表示（すなわち外観）を変更して、ユーザーの移動中の文書の可読性が改善される。
【００３７】
ステップ２１４では、本発明の一または複数の実施形態に従って文書が配置される。具体的には、この配置は、設定が変更されかつ／あるいは一または複数の図形的要素が消去／排除された後に実行される。本発明の一または複数の実施形態では、文書を配置する工程には、文書内のテキストや図形等の位置（座標）の計算が含まれる。本発明の一または複数の実施形態では、図形的要素の消去／排除は、図形的要素を配置エンジンに提供しないこと、および／または図形的要素に印を付けて図形的要素が配置エンジンに無視されるようにすることに相当する。
【００３８】
本発明の一または複数の実施形態では、文書の表示（すなわち外観）の変更は、文書の初期設定を変更したり図形的要素を消去したりするのではなく、あるズーム率を表示された文書に適用することに相当してもよい。この変更を、文書の一部の初期設定が変更できない場合（例えば、固定配置文書の場合）および／または図形的要素が消去できない場合に実行してもよい。そのような実施形態では、このようにズームすることで、文書の内容が、表示画面上で見える範囲から外れてしまう場合もある。この追加的内容を見るのにスクロールバーが必要となり使用されることになってもよい。
【００３９】
本発明の一または複数の実施形態では、どの対象を配置から排除するかについて、文書に関連したキーワードを用いて配置エンジンが決定してもよい。本発明の一または複数の実施形態では、このキーワードは、頻度の閾値よりも高い頻度で出現するものであり、単語または句であってもよい。本発明の一または複数の実施形態では、この頻度閾値は数値である。例えば、頻度閾値が３の場合、３回より多く出現する単語または句がキーワードと見なされる。テキスト中に直接的にキーワードを含まない、あるいは、画像に対応付けられたタグのように間接的な形でもキーワードを含まない対象を排除してもよい。あるいは、本発明から逸脱せずに、キーワードに拘わらず対象を排除してもよい。例えば、テキスト本文中でテキストでも画像でもない任意の対象を排除してもよい。
【００４０】
ステップ２１６では、文書がリセットウィジェットと共に表示される。本発明の一または複数の実施形態では、リセットウィジェットが文書と共に表示されるため、ユーザーが文書の任意の変更を小さくしたり取り消したりすることができようになる。例えば、リセットウィジェットはスライダーを含んでもよく、スライダーのハンドルが右から左へまたは左から右へ動いてもよい。一番左の位置は変更の取り消しを表し、一方一番右の位置は変更の適用を表してもよい。一番左の位置と一番右の位置の間の任意の位置によって変更を部分的に取り消すようにしてもよい。例えば、初期設定のフォントサイズが１３ポイントであるとする。このフォントサイズが、配置エンジンへの提供の前に２０ポイントに変更される。ユーザーは、リセットウィジェットによって、変更を部分的に取り消し、フォントサイズを１３ポイントと２０ポイントの間の任意の値（例えば、１６ポイント）に設定することができる。この詳細な説明を利用する当業者ならば、リセットウィジェットを操作することで、文書を新しく配置する要求がなされてもよいことを理解するだろう。
【００４１】
本発明の一または複数の実施形態では、適用される各変更に対して別々のリセットウィジェットが存在してもよい。例えば、フォントサイズに対する任意の変更を調整するために第１のスライダーが存在し、画像サイズに対する変更を調整するために第２のスライダーが存在し、文書に適用されたズーム率を調整するために第３のスライダーが存在してもよい。本発明の一または複数の実施形態では、変更の状態が２つ（すなわち、変更の適用または取り消し）しかない場合、ユーザーはスライダーによってハンドルを一番左の位置または一番右の位置のどちらかに移動させることしかできなくてもよい。例えば、文書の初期設定のフォントがフレンチスクリプトであるとする。文書の表示時に変更が適用されてフォントがタイムズニューローマンに変更される。ユーザーは、文書と共に表示されたスライダーによってその変更を維持する（すなわち、一番右の位置のままにする）か、あるいは変更を取り消す（すなわち、ハンドルを一番左の位置へ滑らせる）ことができる。
【００４２】
本発明の一または複数の実施形態において、リセットウィジェットは、例えば色の変更等、スタイル上の変更について二者択一の選択肢をユーザーに提供するラジオボタンまたは任意のウィジェットに相当してもよい。例えば、ある文書の初期設定のフォント色は桃色である。この文書を黒のフォント色で表示する変更が適用される。黒色フォントを取り消す選択肢として、桃色を示すリセットウィジェットが表示されてもよい。さらに、リセットウィジェットの上に青色または灰色のような他の色のラジオボタンがあってもよい。
【００４３】
本発明の一または複数の実施形態では、携帯機器の加速が検知器で検出されなくなると、自動的に文書を初期設定に戻してもよい。あるいは、もはや加速が検出されないことをユーザーに通知するとともに、文書を初期設定に戻すか、変更した文書の閲覧を継続するかをユーザーが選択できるようにしてもよい。
【００４４】
図２に示す処理では、文書へのアクセス要求を受け取った後にのみ文書（またはその初期設定）の変更が適用されるが、本発明の他の実施形態では、ユーザーを邪魔または混乱させずに可読性を改善するために、ユーザーが文書を閲覧している間徐々に（すなわち、ある時間間隔／時間窓に亘って連続的にまたはほぼ連続的に）文書（またはその初期設定）の変更が行われる。例えば、加速が検出されたら、ユーザーが閲覧中の文書を３秒間で１５０％ズーム（すなわち、拡大）してもよい。他の一実施例として、ユーザーが閲覧中の文書を６秒間で２００％ズームしてもよい。さらに別の実施例として、加速が検出されたら、ユーザーが閲覧中の文書の縁取りを５秒間で徐々に除去（例えば、次第に薄れて消えていくように）してもよい。さらに別の実施例として、加速が検出されたら、ユーザーが閲覧中の文書のフォント色および背景色を２秒間で徐々に変更してもよい。
【００４５】
図３〜４は本発明の一または複数の実施形態の一例を示す。以下の実施例は単なる説明を目的としたものであって、本発明の範囲を制限する意図はない。
【００４６】
図３を参照し、起伏の多い地域を走るバスでサラが通勤しているという状況を考える。起伏の多い地域であるため、バスの動きによってサラのタブレット（３０２）がサラの目に対し相対的に動く。サラのタブレット（すなわち、携帯機器）が動くため、サラのタブレットの画面（３０４）のウェブブラウザー（３０８）でオリンピックブログのウェブページ（３０８）（すなわち、文書）を読むのは難しい。
【００４７】
ウェブページ（３０８）は、星の縁取り、広告（３１０）、およびテキスト（初期設定フォントがビバルディであり、本文の初期設定フォントサイズが１０ポイントであり、表題の初期設定フォントサイズが１２ポイントである）を含む。サラのタブレット（３０２）内の検知器によって加速が検出される。アイコン（３１２）（すなわち、記号）がウェブページ（３０８）に表示されて、加速が検出／測定されたことをサラに示す。サラがカーソルをアイコン（３１２）上にかざすと、「加速が検出されました。ウェブブラウザー内のアイコンをクリックして変更を許可し、次に更新ボタンをクリックしてください」というメッセージが表示される。サラがアイコンをクリックし、ウェブページ（３０８）を更新する。ウェブページ（３０８）が更新された結果を図４に示す。
【００４８】
図３で説明したようにサラがウェブブラウザー（４０６）を更新すると、図４に示すように、サラのタブレット（４０２）の画面（４０４）には、ウェブページ（４０８）が表示される。起伏の多い地域をバスで通勤しているときのサラのタブレット（４０２）上の可読性を改善するために、ウェブページ（４０８）の表示（すなわち外観）に変更が行われている。テキスト本文のフォントサイズは初期設定の１０ポイントから１４ポイントに上がり、表題用の初期設定のフォントサイズは１４ポイントに上がっている。フォントは初期設定のビバルディからエアリアルに変更されている。星の縁取りおよび広告（すなわち、図３を参照して前述した広告（３１０））は不要な図形的要素であるため、これらはウェブページ（４０８）の配置から排除されて、テキストが画面（４０４）の幅まで拡大されている。初期設定変更後のウェブページ（４０８）は可読性が改善されているため、タブレット（４０２）が加速されてもサラはこのウェブページ（４０８）を読むことができる。
【００４９】
本発明の一または複数の実施形態は以下の利点を有する。すなわち、文書がアクセスされ加速が検出されると、文書を変更して携帯機器上の可読性を改善すること、図形的対象を排除する文書配置を行うこと、固定配置（すなわち、一部の初期設定が変更不可能）または可変配置（すなわち、初期設定が変更可能）のいずれでも文書を変更すること、ユーザーに加速を知らせ、かつユーザーから文書へのアクセスが要求されると任意の変更の許可を促すこと、文書の表示中にユーザーと相互にやりとりして文書の変更の取り消しまたは部分的な取り消しを行うこと、加速が検出されなくなると任意の変更を元に戻すこと等が可能である。本発明の他の実施形態は追加の利点を有する場合がある。
【００５０】
本発明の実施形態を実行するコンピューター可読プログラムコードの形態のソフトウェア命令は、全てまたは部分的に、一時的にまたは恒久的に、ＣＤ、ＤＶＤ、記憶装置、ディスケット、テープ、フラッシュメモリー、物理的メモリー、または任意の他のコンピューター可読記憶媒体のような非一時的なコンピューター可読媒体に保存されてもよい。具体的には、当該ソフトウェア命令は、プロセッサーによって実行されると、本発明の実施形態を実行するように構成されたコンピューター可読プログラムコードに相当してもよい。
【００５１】
限られた数の実施形態によって本発明を説明してきたが、本開示を利用する当業者ならば、本明細書に開示した本発明の範囲から逸脱しない他の実施形態を考案することが可能であることを理解するだろう。すなわち、本発明の範囲は添付の特許請求の範囲によってのみ限定される。
【図１】
2015165396.tif 000003
【図２】
2015165396.tif 000004
【図３】
2015165396.tif 000005
【図４】
2015165396.tif 000006
【外国語明細書】
2015165396000001.pdf
2015165396000002.pdf
2015165396000003.pdf
2015165396000004.pdf